(57)【特許請求の範囲】
【請求項１】
ガイドレールに沿って開閉するスクリーンと、該スクリーンを開閉操作する可動框と、該可動框に取付けられたロックユニットと、該スクリーンの張設時に該ロックユニットと係合して該可動框を係止させる係止枠部材とを有する巻取式スクリーン装置において、
上記ロックユニットが、上記可動框の内側及び外側に取付けられたハンドルと、該内側または外側の一方のハンドルに回動自在に取付けられ上記係止枠部材の係合部と係合するフック部材と、該フック部材をロック方向に回動するように付勢するバネ部材と、上記内側または外側の他方のハンドルに回動自在に取付けられた操作部材と、上記可動框を貫通して摺動自在に設けられ、上記操作部材の押し付けによる回動をフック部材に伝達して、該フック部材の係止枠部材に対する係合を解除させる伝達ピンとを有する、
ことを特徴とする内外側からロック解除可能な巻取式スクリーン装置。
【請求項２】
上記可動框がその両側面に長さ方向に沿う断面Ｔ字形の取付溝を有しており、
内側及び外側のハンドルが上記取付溝に嵌入されるネジ穴付き板及び該ネジ穴に螺入されるネジにより上記取付溝に位置調節可能に固着されている、
ことを特徴とする請求項１に記載の巻取式スクリーン装置。
【請求項３】
上記スクリーンの一端及び他端が上記可動框及びスプリングをスクリーン巻取用の駆動源とする巻取軸にそれぞれ固定され、該巻取軸が建物開口部の一方の側枠部材に固定される巻取ボックス内に収納され、
上記係止枠部材が建物開口部の他方の側枠部材に沿って固定される係止枠部材であり、上記スクリーンが片引きで張設される、
ことを特徴とする請求項１または２に記載の巻取式スクリーン装置。
【請求項４】
上記係止枠部材が、上記フック部材と係合する係合部を有し上記ガイドレールに沿って開閉する第２のスクリーンの一端に固定された第２の可動框であり、前記スクリーンが第２のスクリーンと共に両引きで張設され、
上記第２のスクリーンの他端がスプリングをスクリーン巻取用の駆動源とする第２の巻取軸に固定され、該第２の巻取軸が建物開口部の他方の側枠部材に沿って固定される第２の巻取ボックス内に収納されている、
ことを特徴とする請求項１または２に記載の巻取式スクリーン装置。
【請求項５】
上記第２の可動框がその両側面に長さ方向に沿う断面Ｔ字形の取付溝を有しており、
上記取付溝の一部にネジ穴付き板を嵌入すると共に該ネジ穴付き板及び該ネジ穴に螺入されるネジにより取手部材を上記取付溝に位置調節可能に固着し、
上記取付溝を形成する壁面の一部を上記フック部材と係合する係合部とした、ことを特徴とする請求項４に記載の巻取式スクリーン装置。
【発明の詳細な説明】
【０００１】
【発明の属する技術分野】
本発明は、ロール式の防虫網戸やブラインドのように、巻取軸の回転によりスクリーンを開閉自在とした建物開口部用の巻取式スクリーン装置に関するものである。
【０００２】
【従来の技術】
建物開口部における防虫、遮光または断熱を行うための巻取式スクリーン装置、例えば、防虫ネット等のスクリーンの一端を該スクリーンを開閉操作する可動框に固定し、該スクリーンの他端をスプリングをスクリーン巻取用の駆動源とする巻取軸に固定し、該巻取軸の正逆回転によりスクリーンの繰り出し及び巻き取りを可能としている巻取式スクリーン装置は従来公知である。
このスクリーン装置では、通常、巻取軸を建物開口部の一方の側枠部材に沿って固定される巻取ボックス内に収納し、建物開口部の他方の側枠部材に沿って係止枠部材を固定し、スクリーンを開閉操作する可動框に取付けたロック機構をスクリーンの張設時に上記係止枠部材の係止部に係止させるようにしている。
【０００３】
しかし、従来公知の巻取式スクリーン装置は、上記係止枠部材に係止させた可動框のロック機構を内側からしか解除できないという問題があり、そのために建物の外にいる人が外側からスクリーンの張設状態を解除して建物開口部から建物内に物を搬入したり、あるいは建物開口部から人が建物内に入るということができなかった。
また、従来公知の巻取式スクリーン装置では、通常、可動框にロック機構を単に固着させただけであり、そのため、ロック位置調整が困難であるという問題があった。
【０００４】
【発明が解決しようとする課題】
本発明が解決しようとする課題は、上記問題点を解決し、簡単な構造で室内外のいずれの側からもロック解除可能な巻取式スクリーン装置を提供することにある。
また、本発明の他の課題は、ロック位置調整が容易な巻取式スクリーン装置を提供することにある。
【０００５】
【課題を解決するための手段】
上記課題を解決するため、本発明の巻取式スクリーン装置は、ガイドレールに沿って開閉するスクリーンと、該スクリーンを開閉操作する可動框と、該可動框に取付けられたロックユニットと、該スクリーンの張設時に該ロックユニットと係合して該可動框を係止させる係止枠部材とを有する巻取式スクリーン装置において、上記ロックユニットが、上記可動框の内側及び外側に取付けられたハンドルと、該内側または外側の一方のハンドルに回動自在に取付けられ上記係止枠部材の係合部と係合するフック部材と、該フック部材をロック方向に回動するように付勢するバネ部材と、上記内側または外側の他方のハンドルに回動自在に取付けられた操作部材と、上記可動框を貫通して摺動自在に設けられ、上記操作部材の押し付けによる回動をフック部材に伝達して、該フック部材の係止枠部材に対する係合を解除させる伝達ピンとを有することを特徴とするものである。
【０００６】
上記巻取式スクリーン装置の好ましい実施の形態では、上記可動框がその両側面に長さ方向に沿う断面Ｔ字形の取付溝を有しており、上記内側及び外側のハンドルが上記取付溝に嵌入されるネジ穴付き板及び該ネジ穴に螺入されるネジにより上記取付溝に位置調節可能に固着される。
【０００７】
また、上記巻取式スクリーン装置は、上記スクリーンの一端及び他端が上記可動框及びスプリングをスクリーン巻取用の駆動源とする巻取軸にそれぞれ固定され、該巻取軸が建物開口部の一方の側枠部材に沿って固定される巻取ボックス内に収納され、上記係止枠部材が建物開口部の他方の側枠部材に沿って固定される係止枠部材であり、上記スクリーンが片引きで張設されるものとすることができる。
一方、上記係止枠部材が、上記フック部材と係合する係合部を有し上記ガイドレールに沿って開閉する第２のスクリーンの一端に固定された第２の可動框であり、前記スクリーンが第２のスクリーンと共に両引きで張設され、上記第２のスクリーンの他端がスプリングをスクリーン巻取用の駆動源とする第２の巻取軸に固定され、該第２の巻取軸が建物開口部の他方の側枠部材に沿って固定される第２の巻取ボックス内に収納されたものとすることもできる。
【０００８】
また、上記巻取式スクリーン装置は、上記第２の可動框がその両側面に長さ方向に沿う断面Ｔ字形の取付溝を有しており、上記取付溝の一部にネジ穴付き板を嵌入すると共に該ネジ穴付き板及び該ネジ穴に螺入されるネジにより取手部材を上記取付溝に位置調節可能に固着し、上記取付溝を形成する壁面の一部を上記フック部材と係合する係合部とすることができる。
【０００９】
上記構成を有する巻取式スクリーン装置は、可動框の内側及び外側にロックユニットのハンドルが対向するように取付けられ、該内側または外側の一方のハンドルにフック部材が回動自在に取付けられ、該フック部材がバネ部材によりロック方向に回動するように付勢されているため、可動框をスクリーンが張設される方向に移動させ、それにより可動框が係止枠部材と重なると、可動框に設けたフック部材が係止枠部材の係合部に自動係合し、スクリーンが張設された状態に保持される。
【００１０】
そして、上記フック部材及び操作部材が可動框の内側または外側のハンドルに回動自在に取付けられ、上記フック部材または操作部材の一方の押し付けによる回動を他方に伝達する伝達ピンが上記可動框を貫通して摺動自在に設けられているため、室内外のいずれの側からも上記フック部材または操作部材を操作することができ、室の内側または外側から上記フック部材または操作部材を操作してバネ部材の付勢力に抗してフック部材を反ロック方向に回動させると、係止枠部材の係合部に係合しているフック部材の係合を解除することができる。
【００１１】
上記ロックユニットは、フック部材または操作部材を操作してバネ部材の付勢力に抗してフック部材を反ロック方向に回動させることにより係合を解除できるようにしているため、簡単な構造で強いロック性能を有するものとすることができる。
また、上記巻取式スクリーン装置は、可動框の両側面に設けた長さ方向に沿う断面Ｔ字形の取付溝にネジ穴付き板を嵌入し、該ネジ穴付き板及び該ネジ穴に螺入されるネジにより上記内側及び外側のハンドルを上記取付溝に固着すると、上記内側及び外側のハンドルの取付位置を上記取付溝に沿って簡単に変えることができる。
【００１２】
【発明の実施の形態】
以下、本発明の実施の形態を図面に基づいて詳細に説明するに、図１〜図５は、本発明を巻取式スクリーン装置の一種である横引き式の防虫網戸に適用した場合の一実施例を示している。
該防虫網戸１は、図１及び図２に示すように、建物開口部の一方の側枠部材（図示せず）に沿って固定される巻取ボックス２と、建物開口部の他方の側枠部材（図示せず）に沿って固定される係止枠部材３と、建物開口部の上下の横枠部材（図示せず）に沿って取付けられる上下のガイドレール４，５と、該上下のガイドレール４，５に沿って開閉する防虫ネットからなるスクリーン８と、該スクリーン８の一端が固定されて該スクリーン８を開閉操作する可動框６と、該可動框６に取付けられたロックユニット７と、上記係止枠部材３と上記上下のガイドレール４，５とを連結するコーナージョイント１１，１２と、上記巻取ボックス２と上記上下のガイドレール４，５とを連結するコーナージョイント１３，１４とを有している。
【００１３】
更に詳述すると、上記可動框６は、図４、図５に示すように、その一方の側端面に長さ方向に沿う断面Ｔ字形の取付溝３６を有する長板状をしており、該取付溝３６には上記スクリーン８の一端が固定されたスクリーン固定板３５が挿入され、スクリーンが固定されている。また、上記スクリーン８の他端は、図３に示すように、スプリング１７をスクリーン巻取用の駆動源とする巻取軸１６に固定され、該巻取軸１６は上記巻取ボックス２内に収納されている。また、上記可動框６の上端及び下端には、図２、図３に示すように、キャップ３１，３２がそれぞれ取付けられており、該キャップ３１，３２は上記上下のガイドレール４，５の内側に対設されたレールにスライド自在になっている。
【００１４】
上記可動框６には、図４、図５に示すように、その表裏両側面に長さ方向に沿う断面Ｔ字形の取付溝４３，４４をそれぞれ設けている。これらの取付溝４３，４４は、以下に具体的に説明するロックユニット７を固定するためのもので、図４、図５、図７に示すように、断面矩形で長板状のネジ穴付き板４１，４２が嵌入され、該ネジ穴付き板４１，４２は両端部にロックユニット固定用のネジ４５〜４８が螺入されるネジ穴を有すると共に、中央部には後述する伝達ピン２６が貫通する孔が設けられている。
なお、上記ネジ穴付き板４１，４２は必ずしも長板状にする必要はなく、短板状のネジ穴付き板を上記取付溝４３，４４におけるネジの螺入位置に嵌入させてもよい。
【００１５】
図６〜図１０は、それぞれ上記ロックユニット７の平面図、側面図、正面図、背面図、及びバネ部材２４が見える位置で切断した断面図であり、上記ロックユニット７は、図４〜図６及び図１０に示すように、上記可動框６の内側及び外側にそれぞれ対向するように取付けられた内側ハンドル２１及び外側ハンドル２２と、該内側ハンドル２１に回動自在に取付けられ上記係止枠部材３の係合部３０と係合するフック部材２３と、該フック部材２３をロック方向に回動するように付勢するバネ部材２４と、該フック部材２３と対向するように上記外側ハンドル２２に回動自在に取付けられた操作部材２５と、上記可動框６に穿設した小孔をを貫通して摺動自在に設けられ上記フック部材２３または操作部材２５の一方の押し付けによる回動を他方に伝達する伝達ピン２６とを有している。
【００１６】
上記内側ハンドル２１は、図５、図９に示すように、断面略Ｌ字形でその両端部が平板状にわずかに突出して取付部となった板状をしており、中央部には上記伝達ピン２６が貫通する孔が設けられており、上記取付部には上記ネジ穴付き板４１のネジ穴に螺入されるネジ４５，４６の挿通孔が設けられている。
そして、上記内側ハンドル２１は、上記ネジ４５，４６を上記ネジ穴付き板４１のネジ穴に螺入することにより、上記断面Ｔ字形の取付溝４３の壁面を該内側ハンドル２１と上記ネジ穴付き板４１とで挟みつけるようにして、上記取付溝４３に位置調節可能に固定される。
【００１７】
上記フック部材２３は、断面Ｌ字形でその長手方向の両端部が閉じられた板状のフック部材本体２３ａと、該フック部材本体２３ａの断面略Ｌ字形の一方の壁面から該壁面とほぼ直角に突出する鈎状部２３ｂ及び取手部２３ｃとで構成されている。
上記フック部材本体２３ａは、図６に示すように、ヒンジ５１により上記内側ハンドル２１に回動自在に取付けられており、その断面略Ｌ字形の壁面と上記内側ハンドル２１の断面略Ｌ字形の壁面とで略直方体状の空間を形成して該空間内に上記フック部材２３をロック方向に回動するように付勢するバネ部材２４を収容しており、上記フック部材本体２３ａの壁面は上記伝達ピン２６が当接する面となる。
上記鈎状部２３ｂは先端が鈎状に傾斜し、先端の斜面２３ｄによりそれが係止枠部材３の係合部３０に当たったときにバネ部材２４の付勢力に抗して起き上がり、上記係合部３０に自動係合するようにしており、また、上記取手部２３ｃは上記フック部材２３の引き起こしを容易にする程度に突出させている。
【００１８】
上記外側ハンドル２２は、前方にフックガイドとなる傾斜部を有し後方に側壁部を有する断面略凹形の板状をしており、その中央部には上記伝達ピン２６が貫通する孔が設けられ、その両端部には上記ネジ穴付き板４２のネジ穴に螺入されるネジ４７，４８の挿通孔が設けられている。
そして、上記外側ハンドル２２は、上記ネジ挿通孔に挿入されたネジ４７，４８を上記ネジ穴付き板４２のネジ穴に螺入することにより、上記断面Ｔ字形の取付溝４４の壁面を該外側ハンドル２２と上記ネジ穴付き板４２とで挟みつけるようにして、上記取付溝４４に位置調節可能に固定されている。
上記操作部材２５は、図６、図９に示すように、板状の操作部材本体２５ａと、該操作部材本体２５ａの長手方向の両端部から直角に突出した取付部２５ｂとからなり、上記操作部材本体２５ａの壁面は上記伝達ピン２６が当接する面となり、上記操作部材２５は上記取付部２５ｂに設けたヒンジ５２により上記外側ハンドル２２の側壁部に回動自在に取付けられる。
【００１９】
図１１の（イ）及び（ロ）は、上記ロックユニット７を片引き仕様の巻取式スクリーン装置に用いる場合の実施例であり、上記ロックユニット７を係止枠部材３にロックあるいはロック解除している。
上記可動框６をスクリーン８が張設される方向に移動させ、それにより可動框６に取付けられたフック部材２３の鈎状部２３ｂが係止枠部材３の係合部３０に衝突すると、先端傾斜面２３ｄにより鈎状部２３ｂは反ロック方向の分力を受けるために、バネ部材２４の付勢力に抗して係合部３０を乗り越えながら移動し、可動框６が係止枠部材３と重なる位置に来ると可動框６に設けたフック部材２３が係止枠部材３の係合部３０に自動係合し、図１１の（イ）に示すようなロック状態になり、スクリーンが片引きで張設された状態になる。
【００２０】
上記ロック状態は室内外のいずれの側からも解除することができ、室内側から上記ロック状態を解除するには、上記フック部材２３をバネ部材２４の付勢力に抗して反ロック方向（室内側の方向）に回動させると、係止枠部材３の係合部３０に係合しているフック部材２３ｂの係合が解除されるから、上記可動框６を係止枠部材３から離れる方向に移動させることができる。
また、室外側から上記ロック状態を解除するには、図１１の（ロ）に示すように、可動框６の室外側に設けられた上記操作部材２５を室内側の方向に押しつけて反ロック方向（室内側の方向）に回動させる。
【００２１】
上記操作部材２５の回動は伝達ピン２６を介して上記フック部材２３に伝達されるから、フック部材２３がバネ部材２４の付勢力に抗して反ロック方向（室内側の方向）に回動され、係止枠部材３の係合部に係合しているフック部材２３ｂの係合が解除される。
上記操作部材２５の押しつけをやめると、バネ部材２４の付勢力によりフック部材２３がロック方向に回動するから、フック部材２３の回動が伝達ピン２６を介して操作部材２５に伝達され、操作部材２５は元の位置に復帰する。
【００２２】
図１２の（イ）及び（ロ）は、上記ロックユニット７を両引き仕様の巻取式スクリーン装置に用いる場合の実施例である。
前述した片開き仕様のスクリーン装置では、係止枠部材３が建物開口部に固定的に設置されるものであるが、この両開き仕様の実施例では、可動框６のフック部材２３を、固定的な係止枠部材３ではなく、可動の係止枠部材を構成するところの第２の可動框６０の係合部６１に係合させている。
上記第２の可動框６０は、前記可動框６と同様に、断面Ｔ字形の取付溝３６，４３，４４を有する長板状をしており、上記可動框６と基本的に同じ形状をしているが、上記取付溝４３の一部を上記可動框６に設けたフック部材２３と係合する係合部６１としている点、及び上記取付溝４３，４４に取付けられる部材を一対の取手部材７１，７２としている点で、上記可動框６と相違している。
【００２３】
更に詳述すると、上記可動框６０に対向配置される一対の取手部材７１，７２は、図１３〜図１６に示すように、それぞれ同じ形状をしており、該取手部材７１，７２の両端にはネジ８１〜８４の挿通孔が設けられた取付部７１ａ、７１ｂ，７２ａ、７２ｂがそれぞれ設けられており、上記可動框６０における断面Ｔ字形の取付溝４３，４４には、ネジ穴付き板６３ａ，６３ｂ，６４ａ，６４ｂがそれぞれ嵌入され、上記取付溝４３，４４の壁面を上記取付部７１ａ、７１ｂ，７２ａ、７２ｂと上記ネジ穴付き板６３ａ，６３ｂ，６４ａ，６４ｂとで挟みつけるようにして、上記取付溝４３，４４に上記取手部材７１，７２を位置調節可能に固定している。
【００２４】
そして、図１２の（イ）及び（ロ）に示すように、上記取付溝４３のネジ穴付き板６３ａ，６３ｂが嵌入された部分の間の空間部分を上記フック部材２３の鈎状部２３ｂが入り込む空間部分とし、該取付溝４３を形成する壁面の一部を該鈎状部２３ｂと係合する係合部６１としている。
上記取付溝３６には、上記上下のガイドレール４，５に沿って開閉する第２のスクリーン（図示せず）の一端が固定されたスクリーン固定板３５が挿入されて該取付溝３６に固定されている。
上記第２のスクリーンの他端はスプリングをスクリーン巻取用の駆動源とする第２の巻取軸に固定され、該第２の巻取軸は建物開口部の側枠部材に沿って取付けられた第２の巻取ボックス内に収納される。
【００２５】
また、上記第２の可動框６０及びそれによって張設される第２のスクリーン、該スクリーンを巻取る第２の巻取軸を備えた第２の巻取ボックス等は、前記片開き仕様のそれらと同様であるため、図示及び説明を省略する。
【００２６】
上記両開き仕様のスクリーン装置においては、可動框６、６０をスクリーンが張設される方向に移動させ、それにより可動框６に取付けられたフック部材２３の鈎状部２３ｂが可動框６０の係合部６１に衝突すると、先端が傾斜した鈎状部２３ｂは反ロック方向の分力を受けるためにバネ部材２４の付勢力に抗して係合部６１を乗り越えながら移動し、可動框６が可動框６０と重なる位置に来ると可動框６に設けたフック部材２３が可動框６０の係合部６１に自動係合し、図１２の（イ）に示すようなロック状態になり、スクリーンが両引きで張設された状態になる。
【００２７】
上記ロック状態は、図１２の（ロ）に示すように、室内側から上記フック部材２３をバネ部材２４の付勢力に抗して反ロック方向（室内側の方向）に回動させることにより、あるいは室外側から操作部材２５を室内側の方向に押しつけて伝達ピン２６を介して上記フック部材２３をバネ部材２４の付勢力に抗して反ロック方向（室内側の方向）に回動させることにより、室内外のいずれの側からも解除することができる。
該ロック状態を解除する操作は、図１１に示す実施例の場合と同様であるため、詳しい説明は省略する。
【００２８】
図１２〜図１６に示す実施例では、可動框６に設けたフック部材２３を係止させる係止枠部材として、該可動框６と基本的に同じ構造をしている第２の可動框６０を用い、該可動框６０の取手部材７１を取付ける取付溝４３の一部をフック部材２３が係合する係合部６１としているため、室内外のいずれの側からもロック解除可能な両引き仕様の巻取式スクリーン装置でありながら、その構造が非常に簡単になり低コストなる。
【００２９】
なお、本発明は必ずしも上記実施例に限定されるものではなく、例えば、上記実施例においては、スクリーンの巻取軸が建物開口部の一方の側枠部材に沿って固定された巻取ボックス内に収納されているが、可動框側に設けた可動の巻取ボックス内にスクリーンの巻取軸を収納させることもできる。
また、上記実施例のロックユニット７は、内側ハンドル２１にフック部材２３を取付け、外側ハンドル２２に操作部材２５を取付けているが、本願発明は必ずしもこの実施例に限定されるものではなく、内側ハンドル２１と外側ハンドル２２の構造を逆にして、外側ハンドルにフック部材を取付け、内側ハンドルに操作部材を取付けることもできる。
【００３０】
【発明の効果】
以上に詳述した本発明によれば、簡単な構造で室内外のいずれの側からもロック解除可能な巻取式スクリーン装置を提供することができる。
【図面の簡単な説明】
【図１】本発明に係る巻取式スクリーン装置の一実施例を示す斜視図である。
【図２】同分解斜視図である。
【図３】同部分破断正面図である。
【図４】同部分破断平断面図である。
【図５】図３のＡ−Ａ線断面図である。
【図６】同装置に用いられるロックユニットの平面図である。
【図７】同側面図である。
【図８】同正面図である。
【図９】同背面図である。
【図１０】同バネ部材が見える位置で切断した断面図である。
【図１１】（イ）は、上記実施例においてロックユニットが固定係止枠部材にロックした状態を示す平面図であり、（ロ）は同ロックが解除された状態を示す平面図である。
【図１２】両開き仕様の実施例におけるロックユニットの動作を示すもので、（イ）は同ロックユニットが第２の可動框にロックした状態を示す平面図であり、（ロ）は同ロックが解除された状態を示す平面図である。
【図１３】同可動係止バーに対向配置される一対の取手部材の平面図である。
【図１４】同側面図である。
【図１５】同正面図である。
【図１６】同背面図である。
【符号の説明】
１      巻取式スクリーン装置
２      巻取ボックス
３      係止枠部材
４，５  上下のガイドレール
６      可動框
７      ロックユニット
８      スクリーン
２１，２２  ハンドル
２３      フック部材
２４      バネ部材
２５      操作部材
２６      伝達ピン
【図１】
0003990194.tif 000002
【図２】
0003990194.tif 000003
【図３】
0003990194.tif 000004
【図４】
0003990194.tif 000005
【図５】
0003990194.tif 000006
【図６】
0003990194.tif 000007
【図７】
0003990194.tif 000008
【図８】
0003990194.tif 000009
【図９】
0003990194.tif 000010
【図１０】
0003990194.tif 000011
【図１１】
0003990194.tif 000012
【図１２】
0003990194.tif 000013
【図１３】
0003990194.tif 000014
【図１４】
0003990194.tif 000015
【図１５】
0003990194.tif 000016
【図１６】
0003990194.tif 000017